(57)【要約】【課題】異なる無線通信規格の無線通信ネットワークをシームレスに接続することができる無線通信装置を提供することを課題とする。【解決手段】送信パケットを基に送信信号を生成する物理層部（２０３）と、第１の無線通信規格に則って前記物理層部により生成された送信信号をベースバンド周波数からＲＦ周波数に変換する第１のＲＦ部（２０２）と、前記第１の無線通信規格とは通信範囲が異なる第２の無線通信規格に則って前記物理層部により生成された送信信号をベースバンド周波数からＲＦ周波数に変換する第２のＲＦ部（２０５）と、前記第１のＲＦ部により変換された送信信号を無線送信する第１のアンテナ（２０１）と、前記第２のＲＦ部により変換された送信信号を無線送信する第２のアンテナ（２０４）とを有する無線通信装置が提供される。【選択図】図４
2010258596.tif 000002
【特許請求の範囲】
【請求項１】
送信パケットを基に送信信号を生成する物理層部と、
第１の無線通信規格に則って前記物理層部により生成された送信信号をベースバンド周波数からＲＦ周波数に変換する第１のＲＦ部と、
前記第１の無線通信規格とは通信範囲が異なる第２の無線通信規格に則って前記物理層部により生成された送信信号をベースバンド周波数からＲＦ周波数に変換する第２のＲＦ部と、
前記第１のＲＦ部により変換された送信信号を無線送信する第１のアンテナと、
前記第２のＲＦ部により変換された送信信号を無線送信する第２のアンテナとを有し、
前記第１のアンテナは、前記第１の無線通信規格の周波数の無線信号を受信し、
前記第２のアンテナは、前記第２の無線通信規格の周波数の無線信号を受信し、
前記第１のＲＦ部は、前記第１の無線通信規格に則って前記第１のアンテナを介して受信した信号をＲＦ周波数からベースバンド周波数に変換し、
前記第２のＲＦ部は、前記第２の無線通信規格に則って前記第２のアンテナを介して受信した信号をＲＦ周波数からベースバンド周波数に変換し、
前記物理層部は、前記第１のＲＦ部又は前記第２のＲＦ部により変換された受信信号を基に受信パケットを生成することを特徴とする無線通信装置。
【請求項２】
前記物理層部は、
前記第１の無線通信規格に則って送信パケットを基に送信信号を生成する第１の物理層部と、
前記第２の無線通信規格に則って送信パケットを基に送信信号を生成する第２の物理層部とを有し、
前記第１の物理層部は、前記第１の無線通信規格に則って前記第１のＲＦ部又は前記第２のＲＦ部により変換された受信信号を基に受信パケットを生成し、
前記第２の物理層部は、前記第２の無線通信規格に則って前記第１のＲＦ部又は前記第２のＲＦ部により変換された受信信号を基に受信パケットを生成することを特徴とする請求項１記載の無線通信装置。
【請求項３】
第１の無線通信規格の周波数の無線信号を受信する第１のアンテナと、
前記第１の無線通信規格に則って前記第１のアンテナを介して受信した信号をＲＦ周波数からベースバンド周波数に変換する第１のＲＦ部と、
前記第１のＲＦ部により変換された受信信号に対して同期処理を行う物理層部と、
前記第１の無線通信規格とは通信範囲が異なる第２の無線通信規格に則って前記第１のＲＦ部により変換された受信信号に基づく信号をベースバンド周波数からＲＦ周波数に変換する第２のＲＦ部と、
前記第２のＲＦ部により変換された受信信号を無線送信する第２のアンテナとを有し、
前記第２のアンテナは、前記第２の無線通信規格の周波数の無線信号を受信し、
前記第２のＲＦ部は、前記第２の無線通信規格に則って前記第２のアンテナを介して受信した信号をＲＦ周波数からベースバンド周波数に変換し、
前記第１のＲＦ部は、前記第１の無線通信規格に則って前記第２のＲＦ部により変換された受信信号に基づく信号をベースバンド周波数からＲＦ周波数に変換し、
前記第１のアンテナは、前記第１のＲＦ部により変換された受信信号を無線送信することを特徴とする無線中継装置。
【請求項４】
前記物理層部は、
前記第１の無線通信規格に則って、前記第１のＲＦ部を介して前記第１のアンテナから受信した信号を基にパケットを生成する第１の物理層部と、
前記第１の物理層部により生成されたパケットを基に送信信号を生成する第２の物理層部とを有し、
前記第２のＲＦ部は、前記第２の物理層部により生成された送信信号をベースバンド周波数からＲＦ周波数に変換し、前記第２のアンテナを介して送信し、
前記第２の物理層部は、前記第２の無線通信規格に則って、前記第２のＲＦ部を介して前記第２のアンテナから受信した信号を基にパケットを生成し、
前記第１の物理層部は、前記第１の無線通信規格に則って前記第２の物理層部により生成されたパケットを基に送信信号を生成し、
前記第１のＲＦ部は、前記第１の物理層部により生成された送信信号をベースバンド周波数からＲＦ周波数に変換し、前記第１のアンテナを介して送信することを特徴とする請求項３記載の無線中継装置。
【請求項５】
無線通信装置と、
無線中継装置とを有し、
前記無線通信装置は、
送信パケットを基に送信信号を生成する物理層部と、
第１の無線通信規格に則って前記物理層部により生成された送信信号をベースバンド周波数からＲＦ周波数に変換する第１のＲＦ部と、
前記第１の無線通信規格とは通信範囲が異なる第２の無線通信規格に則って前記物理層部により生成された送信信号をベースバンド周波数からＲＦ周波数に変換する第２のＲＦ部と、
前記第１のＲＦ部により変換された送信信号を基地局へ無線送信する第１のアンテナと、
前記第２のＲＦ部により変換された送信信号を前記無線中継装置へ無線送信する第２のアンテナとを有し、
前記第１のアンテナは、前記第１の無線通信規格の周波数の無線信号を前記基地局から受信し、
前記第２のアンテナは、前記第２の無線通信規格の周波数の無線信号を前記無線中継装置から受信し、
前記第１のＲＦ部は、前記第１の無線通信規格に則って前記第１のアンテナを介して受信した信号をＲＦ周波数からベースバンド周波数に変換し、
前記第２のＲＦ部は、前記第２の無線通信規格に則って前記第２のアンテナを介して受信した信号をＲＦ周波数からベースバンド周波数に変換し、
前記物理層部は、前記第１のＲＦ部又は前記第２のＲＦ部により変換された受信信号を基に受信パケットを生成し、
前記無線中継装置は、
前記第１の無線通信規格の周波数の無線信号を前記基地局から受信する第３のアンテナと、
前記第１の無線通信規格に則って前記第３のアンテナを介して受信した信号をＲＦ周波数からベースバンド周波数に変換する第３のＲＦ部と、
前記第３のＲＦ部により変換された受信信号に対して同期処理を行う物理層部と、
前記第２の無線通信規格に則って前記第３のＲＦ部により変換された受信信号に基づく信号をベースバンド周波数からＲＦ周波数に変換する第４のＲＦ部と、
前記第４のＲＦ部により変換された受信信号を前記無線通信装置へ無線送信する第４のアンテナとを有し、
前記第４のアンテナは、前記第２の無線通信規格の周波数の無線信号を前記無線通信装置から受信し、
前記第４のＲＦ部は、前記第２の無線通信規格に則って前記第４のアンテナを介して受信した信号をＲＦ周波数からベースバンド周波数に変換し、
前記第３のＲＦ部は、前記第１の無線通信規格に則って前記第４のＲＦ部により変換された受信信号に基づく信号をベースバンド周波数からＲＦ周波数に変換し、
前記第３のアンテナは、前記第３のＲＦ部により変換された受信信号を前記基地局へ無線送信することを特徴とする無線通信システム。
【発明の詳細な説明】
【技術分野】
【０００１】
本発明は、無線通信装置、無線中継装置及び無線通信システムに関する。
【背景技術】
【０００２】
特開２００８−２７１１４０号公報には、移動体通信網と無線ＬＡＮ間のセッションを引き継ぐハンドオーバーを実現するために、端末がハンドオーバーを実行する際に同一のＧＧＳＮを選択可能にする通信システムが開示されている。
【０００３】
また、特開２００４−５６５１５号公報には、異なる複数のネットワークシステムに対してそれぞれ通信を行うとともに、複数のネットワークシステムのなかの、あるネットワークシステムにおいて用いられる、通信端末装置に関する情報を、他のネットワークシステムに中継する通信端末装置が開示されている。
【先行技術文献】
【特許文献】
【０００４】
【特許文献１】特開２００８−２７１１４０号公報
【特許文献２】特開２００４−５６５１５号公報
【発明の概要】
【発明が解決しようとする課題】
【０００５】
本発明の目的は、異なる無線通信規格の無線通信ネットワークをシームレスに接続することができる無線通信装置、無線中継装置及び無線通信システムを提供することである。
【課題を解決するための手段】
【０００６】
無線通信装置は、送信パケットを基に送信信号を生成する物理層部と、第１の無線通信規格に則って前記物理層部により生成された送信信号をベースバンド周波数からＲＦ周波数に変換する第１のＲＦ部と、前記第１の無線通信規格とは通信範囲が異なる第２の無線通信規格に則って前記物理層部により生成された送信信号をベースバンド周波数からＲＦ周波数に変換する第２のＲＦ部と、前記第１のＲＦ部により変換された送信信号を無線送信する第１のアンテナと、前記第２のＲＦ部により変換された送信信号を無線送信する第２のアンテナとを有し、前記第１のアンテナは、前記第１の無線通信規格の周波数の無線信号を受信し、前記第２のアンテナは、前記第２の無線通信規格の周波数の無線信号を受信し、前記第１のＲＦ部は、前記第１の無線通信規格に則って前記第１のアンテナを介して受信した信号をＲＦ周波数からベースバンド周波数に変換し、前記第２のＲＦ部は、前記第２の無線通信規格に則って前記第２のアンテナを介して受信した信号をＲＦ周波数からベースバンド周波数に変換し、前記物理層部は、前記第１のＲＦ部又は前記第２のＲＦ部により変換された受信信号を基に受信パケットを生成することを特徴とする。
【０００７】
無線中継装置は、第１の無線通信規格の周波数の無線信号を受信する第１のアンテナと、前記第１の無線通信規格に則って前記第１のアンテナを介して受信した信号をＲＦ周波数からベースバンド周波数に変換する第１のＲＦ部と、前記第１のＲＦ部により変換された受信信号に対して同期処理を行う物理層部と、前記第１の無線通信規格とは通信範囲が異なる第２の無線通信規格に則って前記第１のＲＦ部により変換された受信信号に基づく信号をベースバンド周波数からＲＦ周波数に変換する第２のＲＦ部と、前記第２のＲＦ部により変換された受信信号を無線送信する第２のアンテナとを有し、前記第２のアンテナは、前記第２の無線通信規格の周波数の無線信号を受信し、前記第２のＲＦ部は、前記第２の無線通信規格に則って前記第２のアンテナを介して受信した信号をＲＦ周波数からベースバンド周波数に変換し、前記第１のＲＦ部は、前記第１の無線通信規格に則って前記第２のＲＦ部により変換された受信信号に基づく信号をベースバンド周波数からＲＦ周波数に変換し、前記第１のアンテナは、前記第１のＲＦ部により変換された受信信号を無線送信することを特徴とする。
【発明の効果】
【０００８】
第１の無線通信規格及び第２の無線通信規格の無線通信ネットワークをシームレスに接続することができる。
【図面の簡単な説明】
【０００９】
【図１】本発明の第１の実施形態による無線通信システムの構成例を示すブロック図である。
【図２】図１の携帯端末の構成例を示すブロック図である。
【図３】本発明の第２の実施形態による無線通信システムの構成例を示すブロック図である。
【図４】図３の携帯端末の構成例を示すブロック図である。
【図５】本発明の第３の実施形態による携帯端末の構成例を示すブロック図である。
【図６】本発明の第４の実施形態による携帯端末の構成例を示すブロック図である。
【図７】本発明の第５の実施形態による携帯端末内のＷｉＭＡＸのＲＦ部及びＷＬＡＮのＲＦ部の構成例を示すブロック図である。
【発明を実施するための形態】
【００１０】
（第１の実施形態）
図１は、本発明の第１の実施形態による無線通信システムの構成例を示すブロック図である。無線通信システムは、携帯端末１０１、無線中継装置１０２及び基地局１０３を有する。無線中継装置１０２は、建物１０４の中に置かれる。基地局１０３は、ＷｉＭＡＸ（ワイマックス：Worldwide Interoperability for Microwave Access）の無線通信規格の基地局である。ＷｉＭＡＸは、主に屋外向けに作られた第１の無線通信規格である。ＷＬＡＮ（無線ラン：Wireless Local Area Network）は、主に屋内向けに作られた第２の無線通信規格である。ＷｉＭＡＸ及びＷＬＡＮは通信範囲が異なり、ＷｉＭＡＸは通信範囲が広域、ＷＬＡＮは通信範囲が狭域である。携帯端末１０１は、移動可能な無線通信装置である。屋外であれば、携帯端末１０１は、基地局１０３との間でＷｉＭＡＸの無線通信ネットワークにより通信を行うことができる。しかし、ＷｉＭＡＸは屋外向けの無線通信規格であるため、携帯端末１０１は、建物１０４の中の屋内では、直接、基地局１０３との間でＷｉＭＡＸの無線通信ネットワークにより無線通信を行うことができない。そこで、建物１０４の中に無線中継装置１０２を設ける。携帯端末１０１は、建物１０４の中の屋内では、無線中継装置１０２を介して、基地局１０３と無線通信を行う。
【００１１】
携帯端末１０１は、ＷｉＭＡＸ及びＷＬＡＮの両方の無線通信を行うことができる移動可能な無線通信装置である。上記のように、携帯端末１０１は、屋外では基地局１０３との間でＷｉＭＡＸの無線通信ネットワークにより無線通信を行う。これに対し、携帯端末１０１は、建物１０４の中の屋内では、無線中継装置１０２を介して基地局１０３と無線通信を行う。具体的には、携帯端末１０１は、無線中継装置１０２との間でＷＬＡＮの無線通信ネットワークにより無線通信を行う。基地局１０３は、無線中継装置１０２との間でＷｉＭＡＸの無線通信ネットワークにより無線通信を行う。
【００１２】
無線中継装置１０２は、第１のアンテナ１１０、ＷｉＭＡＸのＲＦ（高周波：Radio Frequency）部１１１、ＷｉＭＡＸの物理層部１１２、ＷＬＡＮの物理層部１１４、ＷＬＡＮのＲＦ部１１５及び第２のアンテナ１１６を有する。
【００１３】
まず、携帯端末１０１が無線中継装置１０２を介して基地局１０３から信号を受信する場合を説明する。第１のアンテナ１１０は、ＷｉＭＡＸの周波数（例えば２．５ＧＨｚ）の無線信号Ｓ１を基地局１０３から受信する。ＷｉＭＡＸのＲＦ部１１１は、ＷＩＭＡＸの無線通信規格に則って、第１のアンテナ１１０を介して受信した信号Ｓ１をＲＦ周波数からベースバンド周波数に変換し、信号Ｓ２を出力する。ＷｉＭＡＸの物理層部１１２は、ＷｉＭＡＸの無線通信規格に則って、ＷｉＭＡＸのＲＦ部１１１により変換された信号Ｓ２を基にＩＰ（Internet Protocol）パケット１１３を生成する。また、ＷｉＭＡＸの物理層部１１２は、ＷｉＭＡＸのＲＦ部１１１により変換された受信信号に対して同期処理を行う。ＩＰパケットＳ３は、ＷｉＭＡＸの物理層部１１２が出力するＩＰパケットである。ＩＰパケットＳ４は、ＷＬＡＮの物理層部１１４が入力するＩＰパケットである。ＩＰパケットＳ３及びＳ４は、ＩＰパケット１１３と同じである。ＷＬＡＮの物理層部１１４は、ＷｉＭＡＸの物理層部１１２により生成されたＩＰパケット１１３を基に送信信号Ｓ５を生成する。ＷＬＡＮのＲＦ部１１５は、ＷＬＡＮの無線通信規格に則って、ＷＬＡＮの物理層部１１４により生成された送信信号Ｓ５をベースバンド周波数からＲＦ周波数に変換し、信号Ｓ６を出力する。第２のアンテナ１１６は、ＷＬＡＮのＲＦ部１１５により変換されたＷＬＡＮの周波数（例えば２．４ＧＨｚ）の信号Ｓ６を携帯端末１０１に無線送信する。
【００１４】
次に、携帯端末１０１が無線中継装置１０２を介して基地局１０３に信号を送信する場合を説明する。第２のアンテナ１１６は、ＷＬＡＮの周波数の無線信号Ｓ６を携帯端末１０１から受信する。ＷＬＡＮのＲＦ部１１５は、ＷＬＡＮの無線通信規格に則って、第２のアンテナ１１６を介して受信した信号Ｓ６をＲＦ周波数からベースバンド周波数に変換し、信号Ｓ５を出力する。ＷＬＡＮの物理層部１１４は、ＷＬＡＮの無線通信規格に則って、ＷＬＡＮのＲＦ部１１５により変換された信号Ｓ５を基にＩＰパケット１１３を生成する。ＷｉＭＡＸの物理層部１１２は、ＷｉＭＡＸの無線通信規格に則って、ＷＬＡＮの物理層部１１４により生成されたＩＰパケット１１３を基に送信信号Ｓ２を生成する。ＷｉＭＡＸのＲＦ部１１１は、ＷｉＭＡＸの物理層部１１２により生成された送信信号Ｓ２をベースバンド周波数からＲＦ周波数に変換し、信号Ｓ１を出力する。第１のアンテナ１１０は、ＷｉＭＡＸのＲＦ部１１１により変換された信号Ｓ１を基地局１０３に無線送信する。
【００１５】
図２は、図１の携帯端末１０１の構成例を示すブロック図である。携帯端末１０１は、第１のアンテナ２０１、ＷｉＭＡＸのＲＦ部２０２、ＷｉＭＡＸの物理層部２０３、第２のアンテナ２０４、ＷＬＡＮのＲＦ部２０５、ＷＬＡＮの物理層部２０６及びスイッチ２０７を有する。
【００１６】
まず、携帯端末１０１が信号を無線送信する場合を説明する。ＩＰパケット２０８は、スイッチ２０７を介してＷｉＭＡＸの物理層部２０３又はＷＬＡＮの物理層部２０６に出力される。スイッチ２０７は、携帯端末１０１が屋外で通信を行うときにはＷｉＭＡＸの物理層部２０３に接続され、携帯端末１０１が屋内で通信を行うときにはＷＬＡＮの物理層部２０６に接続される。スイッチ２０７の具体的な制御方法は、後述する。ＷｉＭＡＸの物理層部２０３は、ＷｉＭＡＸの無線通信規格に則って、送信パケット２０８を基に送信信号を生成する。ＷＬＡＮの物理層部２０６は、ＷＬＡＮの無線通信規格に則って、送信パケット２０８を基に送信信号を生成する。ＷｉＭＡＸのＲＦ部２０２は、ＷｉＭＡＸの無線通信規格に則って、ＷｉＭＡＸの物理層部２０３により生成された送信信号をベースバンド周波数からＲＦ周波数に変換する。ＷＬＡＮのＲＦ部２０５は、ＷＬＡＮの無線通信規格に則って、ＷＬＡＮの物理層部２０６により生成された送信信号をベースバンド周波数からＲＦ周波数に変換する。第１のアンテナ２０１は、ＷｉＭＡＸのＲＦ部２０２により変換されたＷｉＭＡＸの周波数の送信信号を基地局１０３へ無線送信する。第２のアンテナ２０４は、ＷＬＡＮのＲＦ部２０５により変換されたＷＬＡＮの周波数の送信信号を無線中継装置１０２へ無線送信する。
【００１７】
次に、携帯端末１０１が信号を無線受信する場合を説明する。第１のアンテナ２０１は、ＷｉＭＡＸの無線通信規格の周波数の無線信号を基地局１０３から受信する。第２のアンテナ２０４は、ＷＬＡＮの無線通信規格の周波数の無線信号を無線中継装置１０２から受信する。ＷｉＭＡＸのＲＦ部２０２は、ＷｉＭＡＸの無線通信規格に則って、第１のアンテナ２０１を介して受信した信号をＲＦ周波数からベースバンド周波数に変換する。ＷＬＡＮのＲＦ部２０５は、ＷＬＡＮの無線通信規格に則って、第２のアンテナ２０４を介して受信した信号をＲＦ周波数からベースバンド周波数に変換する。ＷｉＭＡＸの物理層部２０３は、ＷｉＭＡＸの無線通信規格に則って、ＷｉＭＡＸのＲＦ部２０２により変換された受信信号を基に受信ＩＰパケットを生成し、スイッチ２０７を介してＩＰパケット２０８を出力する。ＷＬＡＮの物理層部２０６は、ＷＬＡＮの無線通信規格に則って、ＷＬＡＮのＲＦ部２０５により変換された受信信号を基に受信ＩＰパケットを生成し、スイッチ２０７を介してＩＰパケット２０８を出力する。スイッチ２０７は、上記と同様に、携帯端末１０１が屋外で通信を行うときにはＷｉＭＡＸの物理層部２０３に接続され、携帯端末１０１が屋内で通信を行うときにはＷＬＡＮの物理層部２０６に接続される。
【００１８】
スイッチ２０７の制御例を説明する。１フレームは受信サブフレーム及び送信サブフレームを有し、受信サブフレーム及び送信サブフレームの期間は規定されている。その規定に従って、携帯端末１０１及び図１の無線中継装置１０２は、受信処理及び送信処理を行う。
【００１９】
ＷｉＭＡＸの物理層部２０３は、ＷｉＭＡＸのＲＦ部２０２を介して第１のアンテナ２０１から受信した信号を基にＩＰパケットを生成し、そのＩＰパケットのエラー率を演算する。それと同時に、ＷＬＡＮの物理層部２０６は、ＷＬＡＮのＲＦ部２０５を介して第２のアンテナ２０４から受信した信号を基にＩＰパケットを生成し、そのＩＰパケットのエラー率を演算する。
【００２０】
携帯端末１０１は、屋外に位置するときには、基地局１０３からのＷｉＭＡＸの信号を正常に受信することができ、無線中継装置１０２からのＷＬＡＮの信号を正常に受信することができない。その結果、ＷｉＭＡＸの物理層部２０３により演算されたエラー率が小さく、ＷＬＡＮの物理層部２０６により演算されたエラー率が大きくなる。そこで、ＷｉＭＡＸの物理層部２０３により演算されたエラー率がＷＬＡＮの物理層部２０６により演算されたエラー率よりも小さい場合には、スイッチ２０７はＷｉＭＡＸの物理層部２０３に接続される。携帯端末１０１の送信時にも、そのスイッチ２０７の状態は変わらない。
【００２１】
また、携帯端末１０１は、屋内に位置するときには、基地局１０３からのＷｉＭＡＸの信号を正常に受信することができず、無線中継装置１０２からのＷＬＡＮの信号を正常に受信することができる。その結果、ＷｉＭＡＸの物理層部２０３により演算されたエラー率が大きく、ＷＬＡＮの物理層部２０６により演算されたエラー率が小さくなる。そこで、ＷＬＡＮの物理層部２０６により演算されたエラー率がＷｉＭＡＸの物理層部２０３により演算されたエラー率よりも小さい場合には、スイッチ２０７はＷＬＡＮの物理層部２０６に接続される。携帯端末１０１の送信時にも、そのスイッチ２０７の状態は変わらない。
【００２２】
以上のように、携帯端末１０１は、スイッチ２０７により、ＷｉＭＡＸの無線通信及びＷＬＡＮの無線通信を自動的に切り換えることができる。携帯端末１０１が屋外及び屋内間を移動しても、この無線通信システムはＷｉＭＡＸ及びＷＬＡＮの無線通信ネットワークをシームレスに接続することができる。
【００２３】
図１に示すように、ＷｉＭＡＸのＲＦ部１１１の入力信号Ｓ１は、約１ｍｓの１フレームの信号である。ＷｉＭＡＸのＲＦ部１１１の出力信号Ｓ２は、ＷｉＭＡＸのＲＦ部１１１の処理により、ＷｉＭＡＸのＲＦ部１１１の入力信号Ｓ１より約３μｓ遅延する。また、ＷｉＭＡＸの物理層部１１２の出力パケットＳ３は、ＷｉＭＡＸの物理層部１１２の処理により、ＷｉＭＡＸの物理層部１１２の入力信号Ｓ２より約５０μｓ遅延する。また、ＷＬＡＮの物理層部１１４の出力信号Ｓ５は、ＷＬＡＮの物理層部１１４の処理により、ＷＬＡＮの物理層部１１４の入力パケットＳ４より約１ｍｓ遅延する。また、ＷＬＡＮのＲＦ部１１５の出力信号Ｓ６は、ＷＬＡＮのＲＦ部１１５の処理により、ＷＬＡＮのＲＦ部１１５の入力信号Ｓ５より約５０μｓ遅延する。
【００２４】
このように、ＷｉＭＡＸフォーマットの信号Ｓ１をＩＰパケット１１３に変換し、このＩＰパケット１１３をＷＬＡＮのフォーマットの信号Ｓ６に変換することにより、ＷｉＭＡＸフレームとＷＬＡＮフレームとのタイミングから発生する１ｍｓ以上の遅延や回路遅延等が無線通信システムに与える問題や消費電流の問題が発生する。以下、その問題を解決するための第２の実施形態を説明する。
【００２５】
（第２の実施形態）
図３は、本発明の第２の実施形態による無線通信システムの構成例を示すブロック図である。無線通信システムは、携帯端末１０１、無線中継装置１０２及び基地局１０３を有する。無線中継装置１０２は、建物１０４の中に置かれる。以下、本実施形態が第１の実施形態と異なる点を説明する。無線中継装置１０２は、第１のアンテナ１１０、ＷｉＭＡＸのＲＦ部１１１、ＷｉＭＡＸの物理層部１１２、ＷＬＡＮのＲＦ部１１５及び第２のアンテナ１１６を有する。
【００２６】
まず、携帯端末１０１が無線中継装置１０２を介して基地局１０３から信号を受信する場合を説明する。第１のアンテナ１１０は、ＷｉＭＡＸの周波数の無線信号Ｓ１１を基地局１０３から受信する。ＷｉＭＡＸのＲＦ部１１１は、ＷｉＭＡＸの無線通信規格に則って、第１のアンテナ１１０を介して受信した信号Ｓ１１をＲＦ周波数からベースバンド周波数に変換し、信号Ｓ１２を出力する。ＷｉＭＡＸの物理層部１１２は、ＷｉＭＡＸのＲＦ部１１１により変換された受信信号Ｓ１２に対して同期処理を行う。ＷＬＡＮのＲＦ部１１５は、ＷＬＡＮの無線通信規格に則って、ＷｉＭＡＸのＲＦ部１１１により変換された受信信号Ｓ１２をベースバンド周波数からＲＦ周波数に変換し、信号Ｓ１３を出力する。第２のアンテナ１１６は、ＷＬＡＮのＲＦ部１１５により変換された受信信号Ｓ１３を携帯端末１０１へ無線送信する。
【００２７】
基地局１０３の送信信号は、ＷｉＭＡＸ準拠の物理層レベル及びＷｉＭＡＸ準拠のＲＦ周波数を有する。信号Ｓ１１は、ＷｉＭＡＸ準拠の物理層レベル及びＷｉＭＡＸ準拠のＲＦ周波数を有する。信号Ｓ１３は、ＷｉＭＡＸ準拠の物理層レベル及びＷＬＡＮ準拠のＲＦ周波数を有する。携帯端末１０１の受信信号は、ＷｉＭＡＸ準拠の物理層レベル及びＷＬＡＮ準拠のＲＦ周波数を有する。
【００２８】
次に、携帯端末１０１が無線中継装置１０２を介して基地局１０３に信号を送信する場合を説明する。携帯端末１０１の送信は、ＷｉＭＡＸ準拠の物理層レベル及びＷＬＡＮ準拠のＲＦ周波数を有する。第２のアンテナ１１６は、ＷＬＡＮの無線通信規格の周波数の無線信号Ｓ１３を携帯端末１０１から受信する。ＷＬＡＮのＲＦ部１１５は、ＷＬＡＮの無線通信規格に則って、第２のアンテナ１１６を介して受信した信号Ｓ１３をＲＦ周波数からベースバンド周波数に変換し、信号Ｓ１２を出力する。ＷｉＭＡＸのＲＦ部１１１は、ＷｉＭＡＸの無線通信規格に則って、ＷＬＡＮのＲＦ部１１５により変換された受信信号Ｓ１２をベースバンド周波数からＲＦ周波数に変換し、信号Ｓ１１を出力する。第１のアンテナ１１０は、ＷｉＭＡＸのＲＦ部１１１により変換された受信信号Ｓ１１を基地局１０３へ無線送信する。
【００２９】
携帯端末１０１の送信信号は、ＷｉＭＡＸ準拠の物理層レベル及びＷＬＡＮ準拠のＲＦ周波数を有する。信号Ｓ１３は、ＷｉＭＡＸ準拠の物理層レベル及びＷＬＡＮ準拠のＲＦ周波数を有する。信号Ｓ１１は、ＷｉＭＡＸ準拠の物理層レベル及びＷｉＭＡＸ準拠のＲＦ周波数を有する。基地局１０３の受信信号は、ＷｉＭＡＸ準拠の物理層レベル及びＷｉＭＡＸ準拠のＲＦ周波数を有する。
【００３０】
以上のように、無線中継装置１０２は、ＷｉＭＡＸのＲＦ周波数及びＷＬＡＮのＲＦ周波数間の変換を行うのみでよくなるため、ＩＰパケットまで戻す必要がなくなる。
【００３１】
図４は、図３の携帯端末１０１の構成例を示すブロック図である。携帯端末１０１は、第１のアンテナ２０１、ＷｉＭＡＸのＲＦ部２０２、第２のアンテナ２０４、ＷＬＡＮのＲＦ部２０５、スイッチ２０７及びＷｉＭＡＸの物理層部２０３を有する。
【００３２】
まず、携帯端末１０１が信号を無線送信する場合を説明する。ＩＰパケット２０８は、ＷｉＭＡＸの物理層部２０３に出力される。ＷｉＭＡＸの物理層部２０３は、ＷｉＭＡＸの無線通信規格に則って、送信パケット２０８を基に送信信号を生成する。スイッチ２０７は、ＷｉＭＡＸの物理層部２０３により生成された送信信号をＷｉＭＡＸのＲＦ部２０２又はＷＬＡＮのＲＦ部２０５に出力する。具体的には、スイッチ２０７は、第１の実施形態と同様に、携帯端末１０１が屋外で通信を行うときにはＷｉＭＡＸのＲＦ部２０２に接続され、携帯端末１０１が屋内で通信を行うときにはＷＬＡＮのＲＦ部２０５に接続される。ＷｉＭＡＸのＲＦ部２０２は、ＷｉＭＡＸの無線通信規格に則って、ＷｉＭＡＸの物理層部２０３により生成された送信信号をベースバンド周波数からＲＦ周波数に変換する。ＷＬＡＮのＲＦ部２０５は、ＷＬＡＮの無線通信規格に則って、ＷｉＭＡＸの物理層部２０３により生成された送信信号をベースバンド周波数からＲＦ周波数に変換する。第１のアンテナ２０１は、ＷｉＭＡＸのＲＦ部２０２により変換されたＷｉＭＡＸの周波数の送信信号を基地局１０３へ無線送信する。第２のアンテナ２０４は、ＷＬＡＮのＲＦ部２０５により変換されたＷＬＡＮの周波数の送信信号を無線中継装置１０２へ無線送信する。
【００３３】
第１のアンテナ２０１の送信信号は、ＷｉＭＡＸ準拠の物理層レベル及びＷｉＭＡＸ準拠のＲＦ周波数を有する。第２のアンテナ２０４の送信信号は、ＷｉＭＡＸ準拠の物理層レベル及びＷＬＡＮ準拠のＲＦ周波数を有する。
【００３４】
次に、携帯端末１０１が信号を無線受信する場合を説明する。第１のアンテナ２０１は、ＷｉＭＡＸの無線通信規格の周波数の無線信号を基地局１０３から受信する。その受信信号は、ＷｉＭＡＸ準拠の物理層レベル及びＷｉＭＡＸ準拠のＲＦ周波数を有する。第２のアンテナ２０４は、ＷＬＡＮの無線通信規格の周波数の無線信号を無線中継装置１０２から受信する。その受信信号は、ＷｉＭＡＸ準拠の物理層レベル及びＷＬＡＮ準拠のＲＦ周波数を有する。ＷｉＭＡＸのＲＦ部２０２は、ＷｉＭＡＸの無線通信規格に則って、第１のアンテナ２０１を介して受信した信号をＲＦ周波数からベースバンド周波数に変換する。ＷＬＡＮのＲＦ部２０５は、ＷＬＡＮの無線通信規格に則って、第２のアンテナ２０４を介して受信した信号をＲＦ周波数からベースバンド周波数に変換する。スイッチ２０７は、ＷｉＭＡＸのＲＦ部２０２又はＷＬＡＮのＲＦ部２０５により変換された信号をＷｉＭＡＸの物理層部２０３へ出力する。具体的には、スイッチ２０７は、第１の実施形態と同様に、携帯端末１０１が屋外で通信を行うときにはＷｉＭＡＸのＲＦ部２０２に接続され、携帯端末１０１が屋内で通信を行うときにはＷＬＡＮのＲＦ部２０５に接続される。ＷｉＭＡＸの物理層部２０３は、ＷｉＭＡＸの無線通信規格に則って、ＷｉＭＡＸのＲＦ部２０２又はＷＬＡＮのＲＦ部２０５により変換された受信信号を基に受信ＩＰパケット２０８を生成及び出力する。
【００３５】
以上のように、携帯端末１０１は、スイッチ２０７により、ＷｉＭＡＸの無線通信及びＷＬＡＮの無線通信を自動的に切り換えることができる。携帯端末１０１が屋外に位置するときには、携帯端末１０１は、第１のアンテナ２０１を介して、直接、基地局１０３と通信を行う。また、携帯端末１０１が屋内に位置するときには、携帯端末１０１は、第２のアンテナ２０４を介して、無線中継装置１０２を介して基地局１０３との通信を行う。携帯端末１０１が屋外及び屋内間を移動しても、この無線通信システムはＷｉＭＡＸ及びＷＬＡＮの無線通信ネットワークをシームレスに接続することができる。
【００３６】
図３に示すように、ＷｉＭＡＸのＲＦ部１１１の入力信号Ｓ１１は、約１ｍｓの１フレームの信号である。ＷｉＭＡＸのＲＦ部１１１の出力信号Ｓ１２は、ＷｉＭＡＸのＲＦ部１１１の処理により、ＷｉＭＡＸのＲＦ部１１１の入力信号Ｓ１１より約３μｓ遅延する。また、ＷＬＡＮのＲＦ部１１５の出力信号Ｓ１３は、ＷＬＡＮのＲＦ部１１５の処理により、ＷＬＡＮのＲＦ部１１５の入力信号Ｓ１２より約３μｓ遅延する。
【００３７】
第１の実施形態では、図１に示したように、無線中継装置１０２は、屋外の基地局１０３からＷｉＭＡＸ信号を受信し、屋内の携帯端末１０１へＷＬＡＮ信号を送信する。この際、無線中継装置１０２は、ＷｉＭＡＸ信号の１フレーム分を全て受信してからＩＰデータ１１３に変換し、それからＷＬＡＮの信号に変換して送信しなければならない。１フレームは１ｍｓ程度あるため、遅延量は１ｍｓ以上となる。
【００３８】
これに対し、本実施形態は、基本的にはアナログ回路の遅延時間のみを考慮すればよく、遅延時間は１０μｓ以内となる。したがって、本実施形態は、第１の実施形態に対して、遅延時間を１／１００にすることができる。また、本実施形態の無線中継装置１０２及び携帯端末１０１は、ＷＬＡＮの物理層部（ベースバンド回路）等を削減でき、消費電流とコストを下げることができる。
【００３９】
（第３の実施形態）
図５は、本発明の第３の実施形態による携帯端末１０１の構成例を示すブロック図である。第１の実施形態では、図１の無線中継装置１０２を使用するときには、図２の携帯端末１０１を使用する必要がある。また、第２の実施形態では、図３の無線中継装置１０２を使用するときには、図４の携帯端末１０１を使用する必要がある。本実施形態では、建物１０４の中に、図１の無線中継装置１０２を置いてもよいし、図３の無線中継装置１０２を置いてもよい。すなわち、ある建物１０４の中には図１の無線中継装置１０２が置かれ、他の建物１０４の中には図３の無線中継装置１０２が置かれる。本実施形態の携帯端末１０１は、図１の無線中継装置１０２を介して基地局１０３と通信することができ、さらに、図３の無線中継装置１０２を介して基地局１０３と通信することもできる。以下、本実施形態が第１の実施形態と異なる点を説明する。携帯端末１０１は、第１のアンテナ２０１、ＷｉＭＡＸのＲＦ部２０２、第２のアンテナ２０４、ＷＬＡＮのＲＦ部２０５、スイッチ２０７ａ、ＷｉＭＡＸの物理層部２０３、ＷＬＡＮの物理層部２０６及びスイッチ２０７ｂを有する。
【００４０】
まず、携帯端末１０１が信号を無線送信する場合を説明する。ＩＰパケット２０８は、スイッチ２０７ｂを介してＷｉＭＡＸの物理層部２０３又はＷＬＡＮの物理層部２０６に出力される。ＷｉＭＡＸの物理層部２０３は、ＷｉＭＡＸの無線通信規格に則って、送信パケット２０８を基に送信信号を生成する。ＷＬＡＮの物理層部２０６は、ＷＬＡＮの無線通信規格に則って、送信パケット２０８を基に送信信号を生成する。スイッチ２０７ａは、ＷｉＭＡＸの物理層部２０３又はＷＬＡＮの物理層部２０６により生成された信号をＷｉＭＡＸのＲＦ部２０２又はＷＬＡＮのＲＦ部２０５へ出力する。ＷｉＭＡＸのＲＦ部２０２は、ＷｉＭＡＸの無線通信規格に則って、ＷｉＭＡＸの物理層部２０３又はＷＬＡＮの物理層部２０６により生成された送信信号をベースバンド周波数からＲＦ周波数に変換する。ＷＬＡＮのＲＦ部２０５は、ＷＬＡＮの無線通信規格に則って、ＷｉＭＡＸの物理層部２０３又はＷＬＡＮの物理層部２０６により生成された送信信号をベースバンド周波数からＲＦ周波数に変換する。第１のアンテナ２０１は、ＷｉＭＡＸのＲＦ部２０２により変換されたＷｉＭＡＸの周波数の送信信号を基地局１０３へ無線送信する。第２のアンテナ２０４は、ＷＬＡＮのＲＦ部２０５により変換されたＷＬＡＮの周波数の送信信号を無線中継装置１０２へ無線送信する。
【００４１】
次に、携帯端末１０１が信号を無線受信する場合を説明する。第１のアンテナ２０１は、ＷｉＭＡＸの無線通信規格の周波数の無線信号を基地局１０３から受信する。第２のアンテナ２０４は、ＷＬＡＮの無線通信規格の周波数の無線信号を無線中継装置１０２から受信する。ＷｉＭＡＸのＲＦ部２０２は、ＷｉＭＡＸの無線通信規格に則って、第１のアンテナ２０１を介して受信した信号をＲＦ周波数からベースバンド周波数に変換する。ＷＬＡＮのＲＦ部２０５は、ＷＬＡＮの無線通信規格に則って、第２のアンテナ２０４を介して受信した信号をＲＦ周波数からベースバンド周波数に変換する。スイッチ２０７ａは、ＷｉＭＡＸのＲＦ部２０２又はＷＬＡＮのＲＦ部２０５により変換された信号をＷｉＭＡＸの物理層部２０３又はＷＬＡＮの物理層部２０６へ出力する。ＷｉＭＡＸの物理層部２０３は、ＷｉＭＡＸの無線通信規格に則って、ＷｉＭＡＸのＲＦ部２０２又はＷＬＡＮのＲＦ部２０５により変換された受信信号を基に受信ＩＰパケットを生成し、スイッチ２０７ｂを介してＩＰパケット２０８を出力する。ＷＬＡＮの物理層部２０６は、ＷＬＡＮの無線通信規格に則って、ＷｉＭＡＸのＲＦ部２０２又はＷＬＡＮのＲＦ部２０５により変換された受信信号を基に受信ＩＰパケットを生成し、スイッチ２０７ｂを介してＩＰパケット２０８を出力する。
【００４２】
図１の無線中継装置１０２を使用する場合には、携帯端末１０１が屋外に位置するときには、スイッチ２０７ｂはＷｉＭＡＸの物理層部２０３に接続され、スイッチ２０７ａはＷｉＭＡＸのＲＦ部２０２及びＷｉＭＡＸの物理層部２０３を接続し、携帯端末１０１が屋内に位置するときには、スイッチ２０７ｂはＷＬＡＮの物理層部２０６に接続され、スイッチ２０７ａはＷＬＡＮのＲＦ部２０５及びＷＬＡＮの物理層部２０６を接続する。
【００４３】
図３の無線中継装置１０２を使用する場合には、携帯端末１０１が屋外に位置するときには、スイッチ２０７ｂはＷｉＭＡＸの物理層部２０３に接続され、スイッチ２０７ａはＷｉＭＡＸのＲＦ部２０２及びＷｉＭＡＸの物理層部２０３を接続し、携帯端末１０１が屋内に位置するときには、スイッチ２０７ｂはＷｉＭＡＸの物理層部２０３に接続され、スイッチ２０７ａはＷＬＡＮのＲＦ部２０５及びＷｉＭＡＸの物理層部２０３を接続する。スイッチ２０７ａ及び２０７ｂは、第１の実施形態と同様に、ＷｉＭＡＸの物理層部２０３及びＷＬＡＮの物理層部２０６により演算されたエラー率を基に制御を行うことができる。
【００４４】
以上のように、本実施形態の携帯端末１０１は、図１の無線中継装置１０２を介して基地局１０３と通信することができ、さらに、図３の無線中継装置１０２を介して基地局１０３と通信することもできる。
【００４５】
（第４の実施形態）
図６は、本発明の第４の実施形態による携帯端末１０１の構成例を示すブロック図である。以下、本実施形態が第３の実施形態と異なる点を説明する。ＷｉＭＡＸの物理層部２０３は、アナログデジタル変換器及びデジタルアナログ変換器６０１、スイッチ６０２、並びにＷｉＭＡＸの信号処理部６０３を有する。ＷＬＡＮの物理層部２０６は、アナログデジタル変換器及びデジタルアナログ変換器６０１、スイッチ６０２、並びにＷＬＡＮの信号処理部６０４を有する。ＷｉＭＡＸの物理層部２０３及びＷＬＡＮの物理層部２０６は、アナログデジタル変換器及びデジタルアナログ変換器６０１、並びにスイッチ６０２を共通で使用する。
【００４６】
まず、携帯端末１０１が信号を無線送信する場合を説明する。スイッチ２０７ｂは、ＩＰパケット２０８をＷｉＭＡＸの信号処理部６０３又はＷＬＡＮの信号処理部６０４へ出力する。ＷｉＭＡＸの信号処理部６０３は、ＷｉＭＡＸの無線通信規格に則って、ＯＦＤＭＡ（直交周波数分割多重アクセス：Orthogonal Frequency Division Multiple Access）方式により、ＩＰパケット２０８を基に送信信号を生成する。ＷＬＡＮの信号処理部６０４、ＷＬＡＮの無線通信規格に則って、ＯＦＤＭ（直交周波数分割多重：Orthogonal Frequency Division Multiplexing）方式により、ＩＰパケット２０８を基に送信信号を生成する。スイッチ６０２は、ＷｉＭＡＸの信号処理部６０３又はＷＬＡＮの信号処理部６０４により生成された送信信号をデジタルアナログ変換器６０１へ出力する。デジタルアナログ変換器６０１は、ＷｉＭＡＸの信号処理部６０３又はＷＬＡＮの信号処理部６０４により生成された送信信号をデジタルからアナログに変換し、スイッチ２０７ａに出力する。
【００４７】
次に、携帯端末１０１が信号を無線受信する場合を説明する。アナログデジタル変換器６０１は、スイッチ２０７ａを介してＷｉＭＡＸのＲＦ部２０２又はＷＬＡＮのＲＦ部２０５から入力した受信信号をアナログからデジタルに変換する。スイッチ６０２は、アナログデジタル変換器６０１により変換された信号をＷｉＭＡＸの信号処理部６０３又はＷＬＡＮの信号処理部６０４に出力する。ＷｉＭＡＸの信号処理部６０３は、ＷｉＭＡＸの無線通信規格に則って、ＯＦＤＭＡ方式により、アナログデジタル変換器６０１により変換された信号を基にＩＰパケットを生成し、スイッチ２０７ｂを介してＩＰパケット２０８を出力する。ＷＬＡＮの信号処理部６０４は、ＷＬＡＮの無線通信規格に則って、ＯＦＤＭ方式により、アナログデジタル変換器６０１により変換された信号を基にＩＰパケットを生成し、スイッチ２０７ｂを介してＩＰパケット２０８を出力する。
【００４８】
スイッチ６０２は、スイッチ２０７ｂと同じ動作により、ＷｉＭＡＸの信号処理部６０３又はＷＬＡＮの信号処理部６０４に接続する。
【００４９】
以上のように、ＷｉＭＡＸの物理層部２０３及びＷＬＡＮの物理層部２０６は、アナログデジタル変換器及びデジタルアナログ変換器６０１を共通で使用することができる。これにより、携帯端末１０１を小型化することができる。本実施形態は、第１の実施形態にも適用することができる。
【００５０】
（第５の実施形態）
図７は、本発明の第５の実施形態による携帯端末１０１内のＷｉＭＡＸのＲＦ部２０２及びＷＬＡＮのＲＦ部２０５の構成例を示すブロック図である。以下、本実施形態が第２の実施形態と異なる点を説明する。
【００５１】
ＷｉＭＡＸのＲＦ部２０２は、低雑音アンプ７０１、ミキサ７０２、スイッチ７０５、第１のミキサ７０６、第１のフィルタ７０７、第２のミキサ７０８及び第２のフィルタ７０９を有する。ＷＬＡＮのＲＦ部２０５は、低雑音アンプ７０３、ミキサ７０４、スイッチ７０５、第１のミキサ７０６、第１のフィルタ７０７、第２のミキサ７０８及び第２のフィルタ７０９を有する。ＷｉＭＡＸのＲＦ部２０２及びＷＬＡＮのＲＦ部２０５は、スイッチ７０５、第１のミキサ７０６、第１のフィルタ７０７、第２のミキサ７０８及び第２のフィルタ７０９を共通で使用する。
【００５２】
低雑音アンプ７０１は、第１のアンテナ２０１を介して受信したＷｉＭＡＸの信号を増幅する。低雑音アンプ７０３は、第２のアンテナ２０４を介して受信したＷＬＡＮの信号を増幅する。ミキサ７０２は、ＷｉＭＡＸの無線通信規格に則って、低雑音アンプ７０１により増幅された信号を、ＲＦ周波数から中間周波数に変換する。ミキサ７０４は、ＷＬＡＮの無線通信規格に則って、低雑音アンプ７０３により増幅された信号を、ＲＦ周波数から中間周波数に変換する。スイッチ７０５は、図４のスイッチ２０７と同じ動作により、ミキサ７０２又は７０４の出力信号を第１のミキサ７０６及び７０８に出力する。第１のミキサ７０６は、ミキサ７０２又は７０４の出力信号をＩ信号に変換する。第２のミキサ７０８は、ミキサ７０２又は７０４の出力信号をＱ信号に変換する。第１のフィルタ７０７は、第１のミキサ７０６の出力信号に対してフィルタリングを行い、図４のスイッチ２０７に出力する。第２のフィルタ７０９は、第２のミキサ７０８の出力信号に対してフィルタリングを行い、図４のスイッチ２０７に出力する。
【００５３】
以上のように、ＷｉＭＡＸのＲＦ部２０２及びＷＬＡＮのＲＦ部２０５は、第１のミキサ７０６、第１のフィルタ７０７、第２のミキサ７０８及び第２のフィルタ７０９を共通で使用することができる。これにより、携帯端末１０１を小型化することができる。
【００５４】
上記の第１〜第５の実施形態において、無線中継装置１０２及び携帯端末１０１は、それぞれ１個の半導体チップで構成することができる。
【００５５】
また、第１〜第５の実施形態では、第１の無線通信規格としてＷｉＭＡＸ、第２の無線通信規格としてＷＬＡＮを例に説明したが、これに限定されない。例えば、屋外用の無線通信規格として、ＷｉＭＡＸの他に、ＬＴＥ（Long Term Evolution）等を使用することができる。また、屋内用の無線通信規格として、ＷＬＡＮの他に、Ｂｌｕｅｔｏｏｔｈ（ブルートゥース）、Ｗｉ−Ｆｉ（ワイファイ：Wireless Fidelity）等を使用することができる。また、第１の無線通信規格及び第２の無線通信規格は、通信範囲が異なるものを使用することができる。例えば、第１の無線通信規格は広域の通信範囲の無線通信規格であり、第２の無線通信規格はそれより狭域の通信範囲の無線通信規格である。
【００５６】
以上のように、第１〜第５の実施形態の携帯端末（無線通信装置）１０１では、送信時には、物理層部２０３及び／又は２０６は、送信パケットを基に送信信号を生成する。第１のＲＦ部２０２は、第１の無線通信規格（ＷｉＭＡＸ等）に則って、物理層部２０３及び／又は２０６により生成された送信信号をベースバンド周波数からＲＦ周波数に変換する。第２のＲＦ部２０５は、第１の無線通信規格とは通信範囲が異なる第２の無線通信規格（ＷＬＡＮ等）に則って、物理層部２０３及び／又は２０６により生成された送信信号をベースバンド周波数からＲＦ周波数に変換する。第１のアンテナ２０１は、第１のＲＦ部２０２により変換された送信信号を無線送信する。第２のアンテナ２０４は、第２のＲＦ部２０５により変換された送信信号を無線送信する。
【００５７】
また、第１〜第５の実施形態の携帯端末（無線通信装置）１０１では、受信時には、第１のアンテナ２０１は、第１の無線通信規格の周波数の無線信号を受信する。第２のアンテナ２０４は、第２の無線通信規格の周波数の無線信号を受信する。第１のＲＦ部２０２は、第１の無線通信規格に則って、第１のアンテナ２０１を介して受信した信号をＲＦ周波数からベースバンド周波数に変換する。第２のＲＦ部２０５は、第２の無線通信規格に則って、第２のアンテナ２０４を介して受信した信号をＲＦ周波数からベースバンド周波数に変換する。物理層部２０３及び／又は２０６は、第１のＲＦ部２０２又は第２のＲＦ部２０５により変換された受信信号を基に受信パケットを生成する。
【００５８】
また、第１〜第５の実施形態の無線中継装置１０２では、携帯端末１０１が基地局１０３から受信するときには、第１のアンテナ１１０は、第１の無線通信規格の周波数の無線信号を受信する。第１のＲＦ部１１１は、第１の無線通信規格に則って、第１のアンテナ１１０を介して受信した信号をＲＦ周波数からベースバンド周波数に変換する。物理層部１１２は、第１のＲＦ部１１１により変換された受信信号に対して同期処理を行う。第２のＲＦ部１１５は、第１の無線通信規格とは通信範囲が異なる第２の無線通信規格に則って、第１のＲＦ部１１１により変換された受信信号に基づく信号をベースバンド周波数からＲＦ周波数に変換する。第２のアンテナ１１６は、第２のＲＦ部１１５により変換された受信信号を無線送信する。
【００５９】
また、第１〜第５の実施形態の無線中継装置１０２では、携帯端末１０１が基地局１０３へ送信するときには、第２のアンテナ１１６は、第２の無線通信規格の周波数の無線信号を受信する。第２のＲＦ部１１５は、第２の無線通信規格に則って、第２のアンテナ１１６を介して受信した信号をＲＦ周波数からベースバンド周波数に変換する。第１のＲＦ部１１１は、第１の無線通信規格に則って、第２のＲＦ部１１５により変換された受信信号に基づく信号をベースバンド周波数からＲＦ周波数に変換する。第１のアンテナ１１０は、第１のＲＦ部１１１により変換された受信信号を無線送信する。
【００６０】
第１〜第５の実施形態によれば、第１の無線通信規格及び第２の無線通信規格の無線通信ネットワークをシームレスに接続することができる。
【００６１】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【００６２】
以上の実施形態に関し、さらに以下の付記を開示する。
【００６３】
（付記１）
送信パケットを基に送信信号を生成する物理層部と、
第１の無線通信規格に則って前記物理層部により生成された送信信号をベースバンド周波数からＲＦ周波数に変換する第１のＲＦ部と、
前記第１の無線通信規格とは通信範囲が異なる第２の無線通信規格に則って前記物理層部により生成された送信信号をベースバンド周波数からＲＦ周波数に変換する第２のＲＦ部と、
前記第１のＲＦ部により変換された送信信号を無線送信する第１のアンテナと、
前記第２のＲＦ部により変換された送信信号を無線送信する第２のアンテナとを有し、
前記第１のアンテナは、前記第１の無線通信規格の周波数の無線信号を受信し、
前記第２のアンテナは、前記第２の無線通信規格の周波数の無線信号を受信し、
前記第１のＲＦ部は、前記第１の無線通信規格に則って前記第１のアンテナを介して受信した信号をＲＦ周波数からベースバンド周波数に変換し、
前記第２のＲＦ部は、前記第２の無線通信規格に則って前記第２のアンテナを介して受信した信号をＲＦ周波数からベースバンド周波数に変換し、
前記物理層部は、前記第１のＲＦ部又は前記第２のＲＦ部により変換された受信信号を基に受信パケットを生成することを特徴とする無線通信装置。
（付記２）
前記物理層部は、
前記第１の無線通信規格に則って送信パケットを基に送信信号を生成する第１の物理層部と、
前記第２の無線通信規格に則って送信パケットを基に送信信号を生成する第２の物理層部とを有し、
前記第１の物理層部は、前記第１の無線通信規格に則って前記第１のＲＦ部又は前記第２のＲＦ部により変換された受信信号を基に受信パケットを生成し、
前記第２の物理層部は、前記第２の無線通信規格に則って前記第１のＲＦ部又は前記第２のＲＦ部により変換された受信信号を基に受信パケットを生成することを特徴とする付記１記載の無線通信装置。
（付記３）
前記第１の物理層部及び前記第２の物理層部は、前記第１のＲＦ部又は前記第２のＲＦ部から入力した受信信号をアナログからデジタルに変換するアナログデジタル変換器と、送信信号をデジタルからアナログに変換するデジタルアナログ変換器とを共通で使用することを特徴とする付記２記載の無線通信装置。
（付記４）
前記第１のＲＦ部及び前記第２のＲＦ部は、受信信号をＩ信号に変換する第１のミキサと、受信信号をＱ信号に変換する第２のミキサとを共通で使用することを特徴とする付記１〜３のいずれか１項に記載の無線通信装置。
（付記５）
第１の無線通信規格の周波数の無線信号を受信する第１のアンテナと、
前記第１の無線通信規格に則って前記第１のアンテナを介して受信した信号をＲＦ周波数からベースバンド周波数に変換する第１のＲＦ部と、
前記第１のＲＦ部により変換された受信信号に対して同期処理を行う物理層部と、
前記第１の無線通信規格とは通信範囲が異なる第２の無線通信規格に則って前記第１のＲＦ部により変換された受信信号に基づく信号をベースバンド周波数からＲＦ周波数に変換する第２のＲＦ部と、
前記第２のＲＦ部により変換された受信信号を無線送信する第２のアンテナとを有し、
前記第２のアンテナは、前記第２の無線通信規格の周波数の無線信号を受信し、
前記第２のＲＦ部は、前記第２の無線通信規格に則って前記第２のアンテナを介して受信した信号をＲＦ周波数からベースバンド周波数に変換し、
前記第１のＲＦ部は、前記第１の無線通信規格に則って前記第２のＲＦ部により変換された受信信号に基づく信号をベースバンド周波数からＲＦ周波数に変換し、
前記第１のアンテナは、前記第１のＲＦ部により変換された受信信号を無線送信することを特徴とする無線中継装置。
（付記６）
前記物理層部は、
前記第１の無線通信規格に則って、前記第１のＲＦ部を介して前記第１のアンテナから受信した信号を基にパケットを生成する第１の物理層部と、
前記第１の物理層部により生成されたパケットを基に送信信号を生成する第２の物理層部とを有し、
前記第２のＲＦ部は、前記第２の物理層部により生成された送信信号をベースバンド周波数からＲＦ周波数に変換し、前記第２のアンテナを介して送信し、
前記第２の物理層部は、前記第２の無線通信規格に則って、前記第２のＲＦ部を介して前記第２のアンテナから受信した信号を基にパケットを生成し、
前記第１の物理層部は、前記第１の無線通信規格に則って前記第２の物理層部により生成されたパケットを基に送信信号を生成し、
前記第１のＲＦ部は、前記第１の物理層部により生成された送信信号をベースバンド周波数からＲＦ周波数に変換し、前記第１のアンテナを介して送信することを特徴とする付記５記載の無線中継装置。
（付記７）
前記第２のＲＦ部は、前記第２の無線通信規格に則って、前記第１のＲＦ部を介して前記第１のアンテナから受信した信号をベースバンド周波数からＲＦ周波数に変換し、前記第２のアンテナを介して送信し、
前記第１のＲＦ部は、前記第１の無線通信規格に則って、前記第２のＲＦ部を介して前記第２のアンテナから受信した信号をベースバンド周波数からＲＦ周波数に変換し、前記第１のアンテナを介して送信することを特徴とする付記５記載の無線中継装置。
（付記８）
無線通信装置と、
無線中継装置とを有し、
前記無線通信装置は、
送信パケットを基に送信信号を生成する物理層部と、
第１の無線通信規格に則って前記物理層部により生成された送信信号をベースバンド周波数からＲＦ周波数に変換する第１のＲＦ部と、
前記第１の無線通信規格とは通信範囲が異なる第２の無線通信規格に則って前記物理層部により生成された送信信号をベースバンド周波数からＲＦ周波数に変換する第２のＲＦ部と、
前記第１のＲＦ部により変換された送信信号を基地局へ無線送信する第１のアンテナと、
前記第２のＲＦ部により変換された送信信号を前記無線中継装置へ無線送信する第２のアンテナとを有し、
前記第１のアンテナは、前記第１の無線通信規格の周波数の無線信号を前記基地局から受信し、
前記第２のアンテナは、前記第２の無線通信規格の周波数の無線信号を前記無線中継装置から受信し、
前記第１のＲＦ部は、前記第１の無線通信規格に則って前記第１のアンテナを介して受信した信号をＲＦ周波数からベースバンド周波数に変換し、
前記第２のＲＦ部は、前記第２の無線通信規格に則って前記第２のアンテナを介して受信した信号をＲＦ周波数からベースバンド周波数に変換し、
前記物理層部は、前記第１のＲＦ部又は前記第２のＲＦ部により変換された受信信号を基に受信パケットを生成し、
前記無線中継装置は、
前記第１の無線通信規格の周波数の無線信号を前記基地局から受信する第３のアンテナと、
前記第１の無線通信規格に則って前記第３のアンテナを介して受信した信号をＲＦ周波数からベースバンド周波数に変換する第３のＲＦ部と、
前記第３のＲＦ部により変換された受信信号に対して同期処理を行う物理層部と、
前記第２の無線通信規格に則って前記第３のＲＦ部により変換された受信信号に基づく信号をベースバンド周波数からＲＦ周波数に変換する第４のＲＦ部と、
前記第４のＲＦ部により変換された受信信号を前記無線通信装置へ無線送信する第４のアンテナとを有し、
前記第４のアンテナは、前記第２の無線通信規格の周波数の無線信号を前記無線通信装置から受信し、
前記第４のＲＦ部は、前記第２の無線通信規格に則って前記第４のアンテナを介して受信した信号をＲＦ周波数からベースバンド周波数に変換し、
前記第３のＲＦ部は、前記第１の無線通信規格に則って前記第４のＲＦ部により変換された受信信号に基づく信号をベースバンド周波数からＲＦ周波数に変換し、
前記第３のアンテナは、前記第３のＲＦ部により変換された受信信号を前記基地局へ無線送信することを特徴とする無線通信システム。
【符号の説明】
【００６４】
２０１  第１のアンテナ
２０２  ＷｉＭＡＸのＲＦ部
２０３  ＷｉＭＡＸの物理層部
２０４  第２のアンテナ
２０５  ＷＬＡＮのＲＦ部
２０７  スイッチ
２０８  ＩＰパケット
【図１】
2010258596.tif 000003
【図２】
2010258596.tif 000004
【図３】
2010258596.tif 000005
【図４】
2010258596.tif 000006
【図５】
2010258596.tif 000007
【図６】
2010258596.tif 000008
【図７】
2010258596.tif 000009